(57)【要約】【課題】簡単な構成で室外側からの取り外しを防止することができ、防犯機能をアップしたドアスコープを提供すること。【解決手段】第１筒体１と第２筒体２をドアスコープ取付孔６に対向挿入して螺合させてドア５を挟むように取り付けるドアスコープにおいて、第１筒体１は、欠円状等の異形断面形状部分１０ａをもって同形状とされたドアスコープ取付孔６ａに取付けられており、かつ、第１筒体１の室外側フランジ部９に相対回動自在に外嵌保持された外嵌リング３を具備し、しかも、外嵌リング３は、第１筒体１に対して、相対回動自在な関係を維持しつつ、室外側へは第１筒体１の室外側フランジ部９によって、また、室内側へは第１筒体１の外周面に装着された係止リング部材４によって、軸方向移動が規制されている。【選択図】      図１
2004316213.tif 000002
【特許請求の範囲】
【請求項１】
ドアの室外側から第１筒体を、ドアの室内側から第２筒体をドアのドアスコープ取付孔に対向状態で挿入して両筒体を螺合させてドアを挟むように取り付けられるドアスコープにおいて、
前記第１筒体は、欠円状等の異形断面形状部分を有し、該異形断面形状部分をもって同形状とされたドアスコープ取付孔に取付けられており、
かつ、前記第１筒体の室外側フランジ部に相対回動自在に外嵌保持された外嵌リングを具備し、
しかも、前記外嵌リングは、第１筒体に対して、相対回動自在な関係を維持しつつ、室外側へは第１筒体の室外側フランジ部によって、また、室内側へは第１筒体の外周面に装着された係止リング部材によって、軸方向移動が規制されていることを特徴とするドアスコープ。
【発明の詳細な説明】
【０００１】
【発明の属する技術分野】
本発明は、室内側から外部の様子を広範囲にわたって観察し得るように、主として玄関ドア等を貫通して取り付けるように構成されたドアスコープに関する。
【０００２】
【従来の技術】
この種のドアスコープは、不審者を招き入れないようにするための防犯を目的としてドアに取付けられており、その構成は、外周に雄ねじを有する内筒をドアの取付孔に室外側から挿入して、内周に雌ねじ部を有する外筒と螺合させてドアを挟むように取り付けている。そのため、室外側に露出する内筒のフランジ部外周をニッパーやプライヤーなどの挟持型工具で挟持して回すことにより、内筒を室外側から抜き取り、外筒を室内側へ押し外すなどにより、ドアスコープを室外側から取り外すことが可能であった。最近、ドアスコープの取り外し跡の取付孔から針金などの特殊な工具を使用してドアのロックを解除し、室内に侵入して、いわゆる空き巣を働いたり、または、ワンルームマンション等の一人暮らしの女性宅の場合では、室内を覗くなどの犯罪が発生しており、そのための防犯対策が強く要望されている。
【０００３】
従来、上記対策として、室外側にフランジ部が露出する内筒のドア取付座部を断面欠円状などの異形断面形状とし、ドアのドアスコープ取付孔も同様な欠円状などの異形孔形状とする方法が有る（例えば、特許文献１、特許文献２）。
【０００４】
【特許文献１】
特開２０００−２９７５８３号公報（００１３の記載及び図１）
【特許文献２】
特開２００２−３０８７５号公報（００３３の記載及び図１２）
【０００５】
【発明が解決しようとする課題】
しかしながら、上記特許文献１、２のものは、内筒の室外側フランジ部の外周部をニッパーなどで把持して回すと、ドアの表層金属板が薄い場合や木質、樹脂等で構成された材質のドアでは強度が不足し、ドアスコープ取付孔（異形孔）が簡単に破壊されて取り外されてしまうという問題点があった。
そこで、本発明は、上記問題点に鑑み、簡単な構成で室外側からの取り外しを防止することができ、防犯機能をアップしたドアスコープを提供することを技術的課題としている。
【０００６】
【課題を解決するための手段】
この技術的課題を解決するための本発明の技術的手段は、ドアの室外側から第１筒体を、ドアの室内側から第２筒体をドアのドアスコープ取付孔に対向状態で挿入して両筒体を螺合させてドアを挟むように取り付けられるドアスコープにおいて、
前記第１筒体は、欠円状等の異形断面形状部分を有し、該異形断面形状部分をもって同形状とされたドアスコープ取付孔に取付けられており、
かつ、前記第１筒体の室外側フランジ部に相対回動自在に外嵌保持された外嵌リングを具備し、
しかも、前記外嵌リングは、第１筒体に対して、相対回動自在な関係を維持しつつ、室外側へは第１筒体の室外側フランジ部によって、また、室内側へは第１筒体の外周面に装着された係止リング部材によって、軸方向移動が規制されていることを特徴としている。
【０００７】
上記構成によれば、外嵌リングを回しても、第１筒体を一緒に回すことができないので、ドアスコープを室外側から取り外すことが防止できる。
また、上記構成によれば、例えば、不法侵入等を目的として、外嵌リングの周囲のドアを室外側から押圧力を加えて凹入させ、第１筒体の室外側フランジ部の外周部を外嵌リングから露出させようとしても、係止リング部材によって外嵌リングが第１筒体に対して室内側へ後退移動することが阻止されているため、第１筒体の室外側フランジ部の外周部が外嵌リングで被覆されたままとなって露出せず、該室外側フランジ部を挟持して回動させることができないようにすることができる。勿論、外嵌リングを挟持して回動させても、相対回動自在の関係を維持したままであるため、第１筒体を回動させることはできず、単に、空転するだけとなり、ドアスコープを取り外し難くすることができる。
【０００８】
さらに、上記構成によれば、外嵌リングをニッパーなどで把持して回したとき、ゴミや異物の噛み込み、又は、錆付きなどで第１筒体が外嵌リングと一緒に回されようとした場合でも、第１筒体はドアスコープ取付孔に異形孔をもって嵌合させてあるために、第１筒体は回らず、前記噛み込みなどが解消されて外嵌リングが空転するだけとなる。これらによって、室外側からのドアスコープの取り外しが防止でき、防犯機能をアップすることができる。
【０００９】
【発明の実施の形態】
以下、本発明の実施の形態を図面に基づいて説明する。
図１〜図３は本発明のドアスコープの実施の形態を示すもので、ドアスコープは第１筒体１と、第２筒体２と、外嵌リング３と係止リング部材４とからなり、ドア５のドアスコープ取付孔６に対して、室外側から第１筒体１が挿入され、室内側から第２筒体２が挿入され、第１筒体１の室内側端部付近の外周面に形成された雄ねじ部７に第２筒体２の内周面に形成された雌ねじ部８を螺合させてドア５を内外から挟むように締め付け固着されている。
【００１０】
第１筒体１は、ドア５への室外側締付け面を構成する室外側フランジ部９を室外側端部に有し、このフランジ部９に隣接して該フランジ部９よりも小径の環状首部１０を備え、この環状首部１０の室内側端部に案内テーパー部１１を有し、この案内テーパー部１１より室内側端部に向けて環状首部１０よりも小径の円筒部１２を有するとともに、この円筒部１２の室内側端部付近の外周面に雄ねじ部７が形成されている。
第１筒体１の室外側端部内周面には２枚の凹レンズを組み合わせた対物レンズ１３が接着剤などで固着され、他端近傍内周面には凸レンズからなる接眼レンズ１４がスリーブ１５により段部に固着されている。
【００１１】
室外側フランジ部９は、第１筒体１の室外側端部から室内側端部に向けて円錐状に広がるテーパー外面とされ、断面略直角三角形状とされている。
環状首部１０には、図２に示すように、Ｄ型その他の欠円状等の異形断面形状部分１０ａを設け、ドアスコープ取付孔６にも、図３に示すように、上記環状首部１０が対応する室外側のみを同様な異形断面形状孔部分６ａを形成し、これらを嵌合させて第１筒体１がドアスコープ取付孔６内で回転しないようにしている。また、環状首部１０の軸方向所定位置には、係止リング部材４を係止保持させておくための環状の係止溝１６が形成されている。
【００１２】
第２筒体２は、内周面に前記雄ねじ部７と螺合する雌ねじ部８を有し、また、室内側端部外周面にドア８への室内側締付け面を構成する室内側フランジ部１７を有する。
外嵌リング３は、第１筒体１の室外側フランジ部９の外周部を被覆するように該フランジ部９に相対回動自在に外嵌されるもので、具体的には、環状首部１０に相対回動自在に遊嵌されている。
係止リング部材４は、上記外嵌リング３が第１筒体１に対して室内側へ後退移動しないように係止保持させておくためのものである。係止リング部材４は、割環状とされ、第１筒体１の環状首部１０の所定位置に形成された環状の係止溝１６に雄ねじ部７側端部から挿入され、案内テーパー部１１を利用して弾性変形させて嵌め込まれるものである。また、外嵌リング３の外面側に庇上の環状凸部３ａを設け、この環状凸部３ａによって、第１筒体１の室外側フランジ部９の外周部を被覆させ、該室外側フランジ部９の外周部を室外側から把持し難くしている。外嵌リング３の外面側のテーパー角度は、第１筒体１の室外側フランジ部９のテーパー角度よりも外嵌リング軸線に対して小さくして全体の体積を小さくし、材料使用量を減少させているが、外嵌リング３のテーパー角度を第１筒体１の室外側フランジ部９のテーパー角度と同一とすると、外部から外嵌リング３を把持し難くし得る。さらに、外嵌リング３は、内面側に環状凹部３ｂを設け、この環状凹部３ｂによって軸方向肉厚を薄くするとともに、係止リング部材４を収納させてドアスコープの軸方向寸法の縮小化を図っている。
【００１３】
本発明の実施の形態は以上の構成からなり、ドア５への取り付け方法の一例を説明する。先ず、外嵌リング３を第１筒体１の雄ねじ部７の形成側端部から挿入して遊嵌し、次に係止リング部材４を同じく第１筒体１の雄ねじ部７の形成側端部から挿入して案内テーパー部１１を利用して弾性変形（拡径）させつつ環状首部１０の係止溝１６に縮径復元させて嵌め込んでおく。
このように、外嵌リング３を遊嵌した第１筒体１を図１の左側からドアスコープ取付孔６に挿入し、これと対向して図１の右側から第２筒体２を挿入し、両者の雄ねじ部７と雌ねじ部８とを螺合させてドア５を挟むように締め付ける。この場合、第２筒体２を回動させて締め付けを行う。
【００１４】
上記のように取り付けたドアスコープは、室内側から覗くと、レンズ系により、室外の情景を広角観察することができる。
今、仮に、不法侵入を目的としてドアスコープを取り外そうとして、例えば、第１筒体１をニッパーなどで室外側から回そうとしても、第１筒体１の室外側フランジ部９の外周部は、外嵌リング３の環状凸部３ａで被覆されているために該室外側フランジ部９の外周部を把持できないのである。
そこで、外嵌リング３を室外側からニッパーなどで挟んで回すことになるが、この外嵌リング３は第１筒体１の環状首部１０の周囲で空回りするだけとなり、第１筒体１に回転力が伝わらない。ここで、万一、ゴミや異物の噛み込み、又は、錆付きなどによって第１筒体１が外嵌リング３と一緒に回ろうとしても、この第１筒体１は、図３に示すように、ドアスコープ取付孔６の異形断面形状孔部分６ａに異形断面形状部分１０ａで嵌合させてあるため回転せず、この抵抗のため前記噛み込みなどが先に解消されて外嵌リング３だけが空転することになり、第１筒体１は依然として回すことができない。
【００１５】
そこで、さらに別の手段として、例えば、外嵌リング３の周囲のドア５を室外側から押圧力を加えて凹入させ、外嵌リング３を室内側へ後退移動させて第１筒体１の室外側フランジ部９の外周部を露出させ、該室外側フランジ部９の外周部をニッパーなどで把持して第１筒体１を回動させ、ドアスコープを取り外そうとしても、係止リング部材４が外嵌リング３の後退移動を阻止しており、第１筒体１の室外側フランジ部９の外周部を外嵌リング３の環状凸部３ａで被覆した状態を保持し続け、その露出を防止することができるので、ドアスコープを室外側から取り外すことが二重に防止されていることになる。
【００１６】
これによって、本発明のドアスコープは簡単には取り外しができない様になっており、防犯機能の向上が図られているのである。
本発明の実施の形態は以上であるが、本発明は、上記した実施の形態にのみ限定されるものではない。例えば、外嵌リング３とドア５との間に摩擦低減手段を介在させてもよい。この摩擦低減手段としては、薄型ニードルベアリングや、銅製ワッシャー、鋳物製ワッシャー、低摩擦樹脂製ワッシャーなどが利用できる。なお、摩擦低減手段として、グリース溜りなどの環状溝や凹部を形成し、そこにグリースなどの潤滑材を充填していおてもよい。
【００１７】
【発明の効果】
本発明によれば、簡単な構成で室外側からの取り外しを防止することができ、防犯機能をアップしたドアスコープを提供することができる。
【図面の簡単な説明】
【図１】本発明に係るドアスコープの実施の形態を示す縦断側面図である。
【図２】図１の要部の分解説明図である。
【図３】図１における第１筒体の環状首部位置での軸線直交方向の断面図である。
【符号の説明】
１    第１筒体
２    第２筒体
３    外嵌リング
３ａ  環状凸部
３ｂ  環状凹部
４    係止リング部材
５    ドア
６    ドアスコープ取付孔
６ａ  異形断面形状孔部分
７    雄ねじ部
８    雌ねじ部
９    室外側フランジ部
１０  環状首部
１０ａ  異形断面形状部分
１１  案内テーパー部
１２  円筒部
１３  対物レンズ
１４  接眼レンズ
１５  スリーブ
１６  係止溝
１７  室内側フランジ部
【図１】
2004316213.tif 000003
【図２】
2004316213.tif 000004
【図３】
2004316213.tif 000005